(57)【要約】【課題】収容空間の内外に出入する出入部材を持ち、見栄え良く動作し、出入部材が蓋体２の開動作に干渉しない収容装置を提供すること。【解決手段】収容装置に、開位置と閉位置との間を移動する蓋体２と、入位置と出位置との間を移動する出入部材３と、蓋体２と出入部材３とに接続され蓋体２の閉動作に伴って付勢力を蓄積しこの付勢力で出入部材３を入位置から出位置に移動させるリンク手段４と、付勢力が蓄積されているリンク手段４と係止するロック位置とリンク手段４との係止が解除される解除位置との間を移動するロック手段５と、を設け、ロック手段５は蓋体２が閉位置から開位置に移動する際にロック位置から解除位置に移動するようにする。本発明の収容装置は、先ず蓋体２が閉位置から開位置に移動し、次いで出入部材３が入位置から出位置に移動するため、見栄え良く動作し、かつ、出入部材３や出入部材３に収容されている荷物が蓋体２の開動作に干渉しない。【選択図】図３
2007283791.tif 000002
【特許請求の範囲】
【請求項１】
箱状をなし内部に収容空間を形成するケース体と、
該収容空間を閉じる閉位置と、該収容空間を開く開位置と、の間で移動する蓋体と、
該ケース体に保持され、該収容空間に収容される入位置と、少なくとも一部が該収容空間の外部に露出する出位置と、の間を移動する出入部材と、
該蓋体と該出入部材とに接続され、該蓋体の閉動作に伴って付勢力を蓄積し、該付勢力で該出入部材を該入位置から該出位置に移動させるリンク手段と、
該付勢力が蓄積されている該リンク手段と係止するロック位置と、該リンク手段との係止が解除される解除位置と、の間を移動するロック手段と、を備え、
該ロック手段は、該蓋体が該閉位置から該開位置に移動する際に該ロック位置から該解除位置に移動し、
先ず該蓋体が該閉位置から該開位置に移動し、次いで該出入部材が該入位置から該出位置に移動することを特徴とする収容装置。
【請求項２】
前記リンク手段は、前記蓋体に接続されるとともに駆動開始位置と従動開始位置との間を移動可能であり前記蓋体の閉動作に伴って該従動開始位置に移動する蓋体リンク部材と、該蓋体リンク部材に接続されるとともに入リンク開始位置と出リンク開始位置との間を移動可能であり該蓋体リンク部材の該従動開始位置への移動に伴って該出リンク開始位置に移動する出入リンク部材と、該出入リンク部材に接続され該出入リンク部材が該出リンク開始位置に移動すると付勢力を蓄積し該付勢力で該出入リンク部材を該入リンク開始位置に移動させるリンク付勢部材と、を備え、
該蓋体リンク部材は、該出入リンク部材の該入リンク開始位置への移動に伴って該駆動開始位置に移動し、
前記出入部材は、該出入リンク部材に接続され、該出入リンク部材が該出リンク開始位置から該入リンク開始位置に移動すると前記入位置から前記出位置に移動し、該出入リンク部材が該入リンク開始位置から該出リンク開始位置に移動すると前記出位置から前記入位置に移動する請求項１に記載の収容装置。
【請求項３】
前記ロック手段は、前記ロック位置において前記蓋体の移動軌跡上に配される解除端と前記ロック位置において前記出入リンク部材に係止し前記解除位置において前記出入リンク部材との係止が解除される係止端とを持つロック部材と、該ロック部材を前記ロック位置に付勢するロック付勢部材と、を持つ請求項２に記載の収容装置。
【請求項４】
前記出入部材は、出入本体部と、該出入本体部に固着されているラック体と、該ラック体と前記出入リンク部材とに接続されるピニオン体と、を持つ請求項２に記載の収容装置。
【発明の詳細な説明】
【技術分野】
【０００１】
本発明は、車両等に配設され、各種の荷物を収容する収容装置に関する。
【背景技術】
【０００２】
車両等には、ドリンクホルダやコンソールボックス、グラブボックス等に代表される各種の収容装置が配設されている。これらの収容装置は一般に奥行きが深い。多くの荷物を収容するである。したがって、例えば携帯電話などの小型の荷物を、これらの収容装置に収容する場合には、ユーザーが小型の荷物を収容装置から取り出し難い場合がある。一方、小型の荷物を取り出し易いように、収容装置の奥行きを浅くすると、収容装置に大型の荷物を収容できない。
【０００３】
近年では、大型の荷物を収容でき、かつ小型の荷物を取り出し易くする収容装置も提案されている（例えば、特許文献１参照）。特許文献１に紹介されている収容装置は、収容空間を形成する外ケースと、外ケースに対して上下移動する内ケース（出入部材）とを持つ。出入部材は蓋体の開動作に伴って上昇するため、外ケースに大型の荷物を収容し、出入部材に小型の荷物を収容すれば、大型の荷物を収容でき、かつ小型の荷物を取り出し易い。
【０００４】
しかし、特許文献１に紹介されている収容装置では、出入部材が蓋体の開動作と同時に上昇するため、動作する際の見栄えに劣る。また、出入部材が蓋体の開動作と同時に上昇するため、出入部材の形状や出入部材に収容されている荷物の大きさによっては、出入部材や荷物が蓋体の開動作に干渉するおそれがあった。
【特許文献１】特開平４−１７６７４３号公報
【発明の開示】
【発明が解決しようとする課題】
【０００５】
本発明は上記事情に鑑みてなされたものであり、収容空間の内外に出入する出入部材を持ち、見栄え良く動作し、出入部材が蓋体の開動作に干渉しない収容装置を提供することを目的とする。
【課題を解決するための手段】
【０００６】
上記課題を解決する本発明の収容装置は、箱状をなし内部に収容空間を形成するケース体と、収容空間を閉じる閉位置と、収容空間を開く開位置と、の間で移動する蓋体と、
ケース体に保持され、収容空間に収容される入位置と、少なくとも一部が収容空間の外部に露出する出位置と、の間を移動する出入部材と、蓋体と出入部材とに接続され、蓋体の閉動作に伴って付勢力を蓄積し、付勢力で出入部材を入位置から出位置に移動させるリンク手段と、付勢力が蓄積されているリンク手段と係止するロック位置と、リンク手段との係止が解除される解除位置と、の間を移動するロック手段と、を備え、ロック手段は、蓋体が閉位置から開位置に移動する際にロック位置から解除位置に移動し、先ず蓋体が閉位置から開位置に移動し、次いで出入部材が入位置から出位置に移動することを特徴とする。
【０００７】
本発明の収容装置は、下記の（１）〜（３）の何れかを備えるのが好ましい。（１）〜（３）の複数を備えるのが望ましい。
（１）上記リンク手段は、上記蓋体に接続されるとともに駆動開始位置と従動開始位置との間を移動可能であり上記蓋体の閉動作に伴って従動開始位置に移動する蓋体リンク部材と、蓋体リンク部材に接続されるとともに入リンク開始位置と出リンク開始位置との間を移動可能であり蓋体リンク部材の従動開始位置への移動に伴って出リンク開始位置に移動する出入リンク部材と、出入リンク部材に接続され出入リンク部材が出リンク開始位置に移動すると付勢力を蓄積し付勢力で出入リンク部材を入リンク開始位置に移動させるリンク付勢部材と、を備え、蓋体リンク部材は、出入リンク部材の入リンク開始位置への移動に伴って駆動開始位置に移動し、上記出入部材は、出入リンク部材に接続され、出入リンク部材が出リンク開始位置から入リンク開始位置に移動すると上記入位置から上記出位置に移動し、出入リンク部材が入リンク開始位置から出リンク開始位置に移動すると上記出位置から上記入位置に移動する。
（２）（１）の場合、上記ロック手段は、上記ロック位置において上記蓋体の移動軌跡上に配される解除端と上記ロック位置において上記出入リンク部材に係止し上記解除位置において上記出入リンク部材との係止が解除される係止端とを持つロック部材と、ロック部材を上記ロック位置に付勢するロック付勢部材と、を持つ。
（３）（１）の場合、上記出入部材は、出入本体部と、出入本体部に固着されているラック体と、ラック体と上記出入リンク部材とに接続されるピニオン体と、を持つ。
【発明の効果】
【０００８】
本発明の収容装置は、蓋体と、入位置と出位置との間を移動する出入部材と、蓋体と出入部材とに接続されているリンク手段と、リンク手段をロックするロック手段と、を持つ。リンク手段には、蓋体の閉動作の際に付勢力が蓄積される。そして、リンク手段は付勢力が蓄積された状態でロック手段と係止する。蓋体が開動作すると、ロック手段が解除位置に移動して、リンク手段とロック手段との係止が解除される。すると、リンク手段に蓄積されていた付勢力が解放されて、出入部材が入位置から出位置に移動する。したがって、本発明の収容装置によると、先ず蓋体が閉位置から開位置に移動し、次いで出入部材が入位置から出位置に移動する。よって、本発明の収容装置は見栄え良く動作する。また、蓋体が先に開動作し、次いで出入部材が出位置に移動するために、出入部材に収容されている荷物や出入部材自身が蓋体の開動作に干渉することもない。
【０００９】
本発明の収容装置が上記（１）を備える場合には、リンク手段を簡単な構造にでき、かつ、確実に動作するようにできる。また、蓋体の閉動作に伴って出入部材を出位置から入位置に移動させ得るため、出入部材を出位置から入位置に移動させる操作を蓋体の閉操作と別におこなう必要がない。
【００１０】
本発明の収容装置が上記（２）を備える場合には、ロック手段を簡単な構造にでき、かつ確実に動作するようにできる。
【００１１】
本発明の収容装置が上記（３）を備える場合には、出入手段を簡単な構造にでき、かつ、確実に動作するようにできる。
【発明を実施するための最良の形態】
【００１２】
本発明の収容装置において、収容空間を開閉する際の蓋体の移動機構は、既知の種々の機構を用いることができる。例えば蓋体は回動しても良いし、スライドしても良いし、回動しつつスライドしてもよい。蓋体は手動で移動しても良いし、バネ等の付勢手段で付勢されて移動しても良いし、モータ等に駆動されて自動的に移動しても良い。
【００１３】
出入部材は収容空間に対して垂直方向に出入しても良いし、水平方向に出入しても良いし、その他の方向に出入しても良い。出入部材は、携帯電話等の小型の荷物を収容できる形状に形成しても良いし、小型の荷物を載置できる形状に形成しても良い。また、出入部材を各種の操作パネルやモニタ等として用いても良い。
【実施例】
【００１４】
以下、図面を基に本発明の収容装置を説明する。
【００１５】
（実施例）
実施例の収容装置はコンソールボックスに一体化されている小物入れであり、車両に配設される。実施例の収容装置は上記の（１）〜（３）を備える。実施例の収容装置を模式的に表す要部拡大分解斜視図を図１に示し、実施例の収容装置の動作を模式的に表す説明図を図２〜図５に示す。以下、実施例において上、下、左、右、前、後とは、図１に示す上、下、左、右、前、後を指す。
【００１６】
実施例の収容装置は、図２に示すように、ケース体１と、蓋体２と、出入部材３と、リンク手段４と、ロック手段５とを持つ。ケース体１は、上方に開口する略箱状をなす。ケース体１の内部すなわち箱内部が収容空間１０となる。蓋体２は、ケース体１の左側壁と右側壁とに保持され、ケース体１の開口１１を覆い収容空間１０を閉じる閉位置と、収容空間１０に没入し収容空間１０を開く開位置と、の間で移動する。詳しくは、図１に示すように、蓋体２は略平板状の蓋本体２０と、蓋本体２０の対向する２端部に形成されている２つの脚部２１とを持つ。各脚部２１には突起状の蓋体回動軸２２が形成されている。一方の脚部２１には、蓋体回動軸２２と同方向に突起するスライド係合部２３が形成されている。蓋体回動軸２２はケース体１の左側壁に形成されている孔状の蓋体枢支孔（図略）に枢支されている。蓋体回動軸２２には巻きバネからなる蓋体付勢部材２４が挿通されている。蓋体付勢部材２４の一端は蓋体回動軸２２を持つ側の脚部２１に固着されている。蓋体付勢部材２４の他端は、ケース体１の左側壁に固着されている。蓋体２は蓋体回動軸２２を中心に回動して、図２に示す閉位置と図４に示す開位置との間を移動する。蓋体２は蓋体付勢部材２４によって開位置に付勢されている。さらに、ケース体１には、プッシュロック機構からなる蓋体ロック手段（図略）が設けられている。蓋体２は蓋体ロック手段にロックされて閉位置に固定される。
【００１７】
図１に示すように、出入部材３は、出入本体部３０と、ラック体３１と、ピニオン体３２とを持つ。出入本体部３０はケース体１より小型であり、上方に開口する箱状をなす。ラック体３１は上下に延び、出入本体部３０の側壁外周面に固着されている。ピニオン体３２はケース体１の左側壁に軸支され、ラック体３１と噛み合っている。
【００１８】
リンク手段４は、ギアからなる蓋体リンク部材４０と、ギアからなる出入リンク部材４１と、巻きバネからなるリンク付勢部材４２と、をもつ。蓋体リンク部材４０は孔状の蓋体リンク回転軸４００と、弧状のガイド溝４０１とをもつ。蓋体リンク回転軸４００は蓋体２の蓋体回動軸２２に挿通されている。ガイド溝４０１には蓋体２のスライド係合部２３が挿通されている。蓋体リンク部材４０は蓋体リンク回転軸４００を中心に回転して、図２に示す従動開始位置と図４に示す駆動開始位置との間を移動する。
【００１９】
出入リンク部材４１は、大径の第１ギア体４１０と小径の第２ギア体４１１とが同軸的に固着されてなる。出入リンク部材４１は軸状の出入リンク回転軸４１２を持つ。出入リンク回転軸４１２はケース体１の左側壁に軸支されている。第１ギア体４１０は蓋体リンク部材４０と噛み合い、第２ギア体４１１はピニオン体３２と噛み合っている。第１ギア体４１０には２つのロック係止部（４１３、４１４）が形成されている。ロック係止部（４１３、４１４）は時計回り方向の先側から後側に向けて傾斜しつつ外周側に向けて突起するテーパ状をなす。出入リンク部材４１の出入リンク回転軸４１２には、リンク付勢部材４２が挿通されている。リンク付勢部材４２の一端は第１ギア体４１０に固着され、他端はケース体１の左側壁に固着されている。出入リンク部材４１は、出入リンク回転軸４１２を中心に回転して、図２に示す出リンク開始位置と、図４に示す入リンク開始位置との間を移動する。
【００２０】
ロック手段５は、略Ｌ字の棹状をなすロック部材５０と、巻きバネからなるロック付勢部材５１と、をもつ。ロック部材５０の一端である係止端５００は鉤状をなし、他端である解除端５０１は略円盤状をなす。ロック部材５０は軸状のロック回動軸５０２を持つ。ロック回動軸５０２はケース体１の左側壁に枢支されている。ロック付勢部材５１はロック回動軸５０２に挿通されている。ロック付勢部材５１の一端はロック部材５０に固着され、他端はケース蓋本体２０の左側壁に固着されている。ロック部材５０はロック回動軸５０２を中心に回動して、図２に示すロック位置と、図４に示す解除位置との間を移動する。ロック付勢部材５１は、ロック部材５０をロック位置に付勢している。ロック部材５０がロック位置に配されると、解除端５０１は蓋体２の移動軌跡上に配されるとともに、係止端５００が出入リンク部材４１の一方のロック係止部４１３と係止する。ロック部材５０が解除位置に配されると、係止端５００とロック係止部４１３との係止が解除される。実施例の収容装置は以下のように動作する。
【００２１】
図２に示すように、蓋体２が閉位置に配されているときには、蓋体リンク部材４０は従動開始位置に配されている。出入リンク部材４１は出リンク開始位置に配されている。出入部材３は入位置に配されている。ロック部材５０はロック位置に配されている。
【００２２】
蓋体２の前側を押圧し、蓋体２を図２中反時計回りに回動させると、蓋体ロック手段が外れる。蓋体２は蓋体付勢部材２４によって開位置に付勢されているため、蓋体ロック手段が外れると蓋体２は図２中時計回りに回動する（図３）。このとき、蓋体２のスライド係合部２３は蓋体リンク部材４０に形成されているガイド溝４０１内を移動する。したがってこのとき蓋体リンク部材４０は回転せず、従動開始位置に配されたままである。
【００２３】
蓋体２が図３に示す位置よりもさらに時計回りに回動して図４に示す開位置に配されると、蓋体２の一部である押圧部２５がロック部材５０の解除端５０１を押圧する。すると、ロック部材５０はロック付勢部材５１の付勢力に抗して図３中時計回りに回転し、ロック係止部４１３と係止端５００との係止が解除される。出入リンク部材４１はリンク付勢部材４２によって入リンク開始位置に付勢されているため、ロック係止部４１３と係止端５００との係止が解除されと、図３中反時計回りに回転して、図４に示す入リンク開始位置に移動する。出入リンク部材４１が図３中反時計回りに回転すると、出入リンク部材４１の第２ギア体４１１と噛み合っているピニオン体３２が図３中時計回りに回転し、ピニオン体３２と噛み合っているラック体３１が上方に移動する。したがって、ラック体３１が固着されている出入本体部３０は上方向に移動して出位置に配される（図４）。なお、図４に示すように、ケース体１の左側壁には、第２ギア体４１１に向けて突起するリンクロック部１２が形成されている。出入リンク部材４１が入リンク開始位置に配されると、リンクロック部１２とロック係止部４１４とが係止して、出入リンク部材４１の回転が停止する。さらに、出入リンク部材４１が図３中反時計回りに回転すると、出入リンク部材４１の第１ギア体４１０と噛み合っている蓋体リンク部材４０は図３中時計回りに回転して、駆動開始位置に配される。すなわち、蓋体リンク部材４０は出入リンク部材４１の回転に従動して、駆動開始位置に向けて回転する。
【００２４】
図４に示すように、蓋体２が開位置に配され、出入リンク部材４１が入リンク開始位置に配され、出入部材３が出位置に配され、ロック部材５０が解除位置に配されているときには、蓋体リンク部材４０は駆動開始位置に配されている。このとき、蓋体２のスライド係合部２３はガイド溝４０１の端部と係合している。したがって、蓋体付勢部材２４の付勢力に抗して蓋体２を手動で図４中反時計回りに回動させると、蓋体リンク部材４０は図４中反時計回りに回転する。蓋体リンク部材４０が図４中反時計回りに回転すると、第１ギア体４１０が蓋体リンク部材４０と噛み合っている出入リンク部材４１が図４中時計回りに回転する。すなわち、蓋体リンク部材４０は出入リンク部材４１を駆動して図４中時計回りに回転させる。
【００２５】
なお、蓋体２が図４中反時計回りに回動すると、押圧部２５による解除端５０１への押圧が解除される。ロック部材５０は、ロック付勢部材５１によってロック位置に付勢されているため、図４中反時計回りに回動する。ところで、出入リンク部材４１のロック係止部（４１３、４１４）は上述したテーパ状をなす。このため、出入リンク部材４１のロック係止部（４１３、４１４）はロック部材５０の係止端５００と係止せず、出入リンク部材４１は図４中時計回りに回転できる。
【００２６】
出入リンク部材４１が図４中時計回りに回転すると、第１ギア体４１０と噛み合っているピニオン体３２が図４中反時計回りに回転し、ピニオン体３２と噛み合っているラック体３１が下方に移動する。したがって、ラック体３１が固着されている出入本体部３０は下方に移動する（図５）。
【００２７】
蓋体２は、図５に示す位置よりもさらに反時計回りに回動すると、図２に示す閉位置に配される。すると蓋体２は蓋体ロック手段によってロックされる。このとき蓋体リンク部材４０はさらに反時計回りに回転して図２に示す従動開始位置に配される。したがって、第１ギア体４１０が蓋体リンク部材４０と噛み合っている出入リンク部材４１は、図５中時計回りにさらに回転して図２に示す出リンク開始位置に配される。出入リンク部材４１の第２ギア体４１１と噛み合っているピニオン体３２は図５中反時計回りにさらに回転し、ピニオン体３２と噛み合っているラック体３１はさらに下方に移動する。したがって、ラック体３１が固着されている出入本体部３０はさらに下方に移動して図２に示す入位置に配される。なお、蓋体付勢部材２４の付勢力に抗して蓋体２を反時計回りに回動させると、蓋体付勢部材２４には付勢力が蓄積される。したがって、蓋体２は開位置に付勢された状態で蓋体ロック手段によってロックされる。
【００２８】
実施例の収容装置では、蓋体２が開位置から閉位置に移動する（閉動作する）際に、リンク手段４のリンク付勢部材４２に付勢力が蓄積される。リンク付勢部材４２に付勢力が蓄積された状態で、リンク手段４のロック係止部４１３はロック手段５の係止端５００と係止する。蓋体２が閉位置から開位置に移動する（開動作する）と、ロック手段５のロック部材５０が解除位置に移動して、リンク手段４のロック係止部４１３とロック手段５の係止端５００との係止が解除される。すると、リンク付勢部材４２に蓄積されていた付勢力が解放されて、出入リンク部材４１が出リンク開始位置から入リンク開始位置に移動し、出入部材３が入位置から出位置に移動する。よって、実施例の収容装置によると、先ず蓋体２が閉位置から開位置に移動し、次いで出入部材３が入位置から出位置に移動する。このため、実施例の収容装置は見栄え良く動作する。また、蓋体２が先に開動作し、次いで出入部材３が出位置に移動するために、出入部材３に収容されている荷物や、出入部材３自身が蓋体２の開動作に干渉することもない。
【００２９】
実施例の収容装置では、蓋体２が回動して収容空間１０を開閉したが、例えば蓋体２がスライドして収容空間１０を開閉しても良い。この場合には、蓋体リンク部材４０をラック状に形成するとともにスライドして駆動開始位置と従動開始位置との間を移動するようにし、蓋体リンク部材４０のスライド移動に伴って出入リンク部材４１が回転するようにすればよい。また、出入リンク部材４１がスライドして入リンク開始位置とでリンク開始位置との間を移動するようにしても良い。実施例の収容装置では、蓋体リンク部材４０と出入リンク部材４１が噛み合うようにして両者を直接接続したが、ギア等の他部材を介して両者を接続しても良い。
【００３０】
実施例の収容装置では、蓋体リンク部材４０と出入リンク部材４１とリンク付勢部材４２とでリンク手段４を構成し、蓋体２の閉動作に伴って出入部材３を出位置から入位置に移動させた。しかし、本発明の収容装置では、リンク手段４は蓋体２の閉動作に伴って付勢力を蓄積するのみで良く、例えば、蓋体２の閉動作とは別に、出入部材３を出位置から入位置へ手動で移動させても良い。
【図面の簡単な説明】
【００３１】
【図１】実施例の収容装置を模式的に表す要部拡大分解斜視図である。
【図２】実施例の収容装置の動作を模式的に表す説明図である。
【図３】実施例の収容装置の動作を模式的に表す説明図である。
【図４】実施例の収容装置の動作を模式的に表す説明図である。
【図５】実施例の収容装置の動作を模式的に表す説明図である。
【符号の説明】
【００３２】
１：ケース体、２：蓋体、３：出入部材、４：リンク手段、５：ロック手段、１０：収容空間、３０：出入本体部、３１：ラック体、３２：ピニオン体、４０：蓋体リンク部材、４１：出入リンク部材、４２：リンク付勢部材
【図１】
2007283791.tif 000003
【図２】
2007283791.tif 000004
【図３】
2007283791.tif 000005
【図４】
2007283791.tif 000006
【図５】
2007283791.tif 000007